(57)【要約】【課題】複数の建物ユニットに連続する広い開口を形成しながら、上階の建物ユニットを支持可能にすること。【解決手段】３行２列をなすように配置した６個の梁式建物ユニット１１Ａ〜１３Ａ、１１Ｂ〜１３Ｂを有してなるユニット建物１０において、１行目の建物ユニット１１Ａ、１１Ｂの壁３１と、２行目の建物ユニット１２Ａ、１２Ｂの支持柱６１とに梁７１を架け渡すとともに、２行目の建物ユニット１２Ａ、１２Ｂの支持柱６１と、３行目の建物ユニット１３Ａ、１３Ｂの小壁６２とに梁７２を架け渡し、それらの梁７１、７２によって上階の建物ユニット２１Ａ〜２３Ａ、２１Ｂ〜２３Ｂを支持するもの。【選択図】  図１
2004156400.tif 000002
【特許請求の範囲】
【請求項１】
３行２列をなすように配置した６個の壁式建物ユニットを有してなるユニット建物において、
１行目の２列をなす各建物ユニットはそれらが互いに相接する側辺部を壁のない開口部にし、
２行目の２列をなす各建物ユニットはそれらが互いに相接する側辺部を壁のない開口部にするとともに、該側辺部の３行目の建物ユニットと接する位置近傍に支持柱を立接し、
３行目の２列をなす各建物ユニットはそれらが互いに相接する側辺部の２列目の建物ユニットと接する側の一部を壁のない小開口部にするとともに、該側辺部の残部に小壁を設け、
１行目の各建物ユニットの前記開口部を有する側辺部に対し、２行目の建物ユニットと接しない側で交差する、該１行目の各建物ユニットの側辺部に立てた壁と、２行目の各建物ユニットの前記支持柱とに梁を架け渡すとともに、２行目の各建物ユニットの該支持柱と、３行目の各建物ユニットの前記小壁とに梁を架け渡し、それらの梁によって上階の建物ユニットを支持することを特徴とするユニット建物。
【請求項２】
１列目又は２列目の３個の建物ユニットが、それらの互いに相接する側辺部を壁のない開口部にする請求項１に記載のユニット建物。
【請求項３】
前記支持柱と梁が、２列をなす各建物ユニット毎に設けられる請求項１又は２に記載のユニット建物。
【請求項４】
前記支持柱と梁が、２列をなす両建物ユニットに跨るように設けられる請求項１又は２に記載のユニット建物。
【発明の詳細な説明】
【０００１】
【発明の属する技術分野】
本発明はユニット建物に関する。
【０００２】
【従来の技術】
特許文献１は、２個の建物ユニットを並設するに際し、各建物ユニットの１組の長辺と短辺に壁を立て、他の１組の長辺と短辺には壁を立てない構成にし、２個の建物ユニットの壁のない長辺同士を相接するように配置し、壁のない短辺同士を一直線上に配置した。そして、一方の建物ユニットの壁のない短辺における、壁を備えた長辺側の一部に小壁を立て、この一方の建物ユニットの小壁から両建物ユニットの壁のない短辺に沿うように梁を延在し、この梁を他方の建物ユニットの長辺に設けた壁に支持させた。これにより、上階の建物ユニットをこの梁によって支持する。両建物ユニットの相接する壁のない長辺の両側に連続する大空間を形成するとともに、壁のない２つの短辺に連続する開口を形成しながら、上階の建物ユニットを支持できる。
【０００３】
【特許文献１】
特開平８−３１１９９９（３頁、図４）
【０００４】
【発明が解決しようとする課題】
特許文献１では、２個の建物ユニットによって構造を完結せしめるため、両建物ユニットの開口を形成する短辺上で、一方の建物ユニットの一部に小壁を設ける必要があり、開口寸法の拡大に限りがある。
【０００５】
本発明の課題は、複数の建物ユニットに連続する広い開口を形成しながら、上階の建物ユニットを支持可能にすることにある。
【０００６】
【課題を解決するための手段】
請求項１の発明は、３行２列をなすように配置した６個の壁式建物ユニットを有してなるユニット建物において、１行目の２列をなす各建物ユニットはそれらが互いに相接する側辺部を壁のない開口部にし、２行目の２列をなす各建物ユニットはそれらが互いに相接する側辺部を壁のない開口部にするとともに、該側辺部の３行目の建物ユニットと接する位置近傍に支持柱を立接し、３行目の２列をなす各建物ユニットはそれらが互いに相接する側辺部の２列目の建物ユニットと接する側の一部を壁のない小開口部にするとともに、該側辺部の残部に小壁を設け、１行目の各建物ユニットの前記開口部を有する側辺部に対し、２行目の建物ユニットと接しない側で交差する、該１行目の各建物ユニットの側辺部に立てた壁と、２行目の各建物ユニットの前記支持柱とに梁を架け渡すとともに、２行目の各建物ユニットの該支持柱と、３行目の各建物ユニットの前記小壁とに梁を架け渡し、それらの梁によって上階の建物ユニットを支持するようにしたものである。
【０００７】
請求項２の発明は、請求項１の発明において更に、１列目又は２列目の３個の建物ユニットが、それらの互いに相接する側辺部を壁のない開口部にするようにしたものである。
【０００８】
請求項３の発明は、請求項１又は２の発明において更に、前記支持柱と梁が、２列をなす各建物ユニット毎に設けられるようにしたものである。
【０００９】
請求項４の発明は、請求項１又は２の発明において更に、前記支持柱と梁が、２列をなす両建物ユニットに跨るように設けられるようにしたものである。
【００１０】
【作用】
請求項１の発明によれば下記▲１▼〜▲４▼の作用がある。
▲１▼１行目と２行目の建物ユニットの壁のない開口部の上に梁を架け渡すに際し、１行目の建物ユニットは梁の下部を全て開口部とし、２行目の建物ユニットは梁の下部を１行目の建物ユニットの側の開口部に連続する開口部と３行目の建物ユニットに接する位置近傍の支持柱とした。従って、１行目と２行目の両建物ユニットに連続する広い開口を形成できる。
【００１１】
▲２▼１行目〜３行目の建物ユニットの上述▲１▼の開口を含む面に沿う水平荷重に対する耐力は、３行目の建物ユニットに設けた小壁（耐力壁）によって確保される。
【００１２】
▲３▼１行目と２行目の建物ユニットに対する上階の建物ユニットの垂直荷重は、１行目の建物ユニットの壁と、梁だけでなく、２行目の建物ユニットの支持柱によっても支えられるから、梁に大断面を必要とせず、梁の材料の簡易を図ることができる。
【００１３】
▲４▼３行目の建物ユニットが小壁の側傍に小開口部を有しており、この小開口部を室内通路として利用する等により、有効なプランをとることができる。
【００１４】
請求項２の発明によれば下記▲５▼の作用がある。
▲５▼１列目又は２列目の３個の建物ユニットが、それらの互いに相接する側辺部を壁のない開口部にした。従って、１列目又は２列目のそれぞれにおいて、各３個の建物ユニットに渡って連続する大空間を形成できる。
【００１５】
請求項３の発明によれば下記▲６▼の作用がある。
▲６▼支持柱と梁を２列をなす各建物ユニット毎に設けることにより、それらの部材の断面を小型軽量化できるし、それらの工場付けが可能になる。
【００１６】
請求項４の発明によれば下記▲７▼の作用がある。
▲７▼支持柱と梁を２列をなす両建物ユニットに跨るように設けることにより、それらの部材の部品点数を少なくし、組付工数を削減できる。
【００１７】
【発明の実施の形態】
図１はユニット建物を示し、（Ａ）は下階部分を示す平面図、（Ｂ）は上階部分を示す平面図、図２は図１（Ａ）のＩＩ−ＩＩ線に沿う模式側面図、図３は図１（Ａ）のＩＩＩ−ＩＩＩ線に沿う矢視図、図４は図３と同一部分の変形例を示す正面図、図５はユニット建物のレイアウトを示し、（Ａ）は下階部分を示す平面図、（Ｂ）は上階部分を示す平面図である。
【００１８】
ユニット建物１０は、図１に示す如く、下階部分に、３行２列をなすように配置した６個の壁式建物ユニット１１Ａ〜１３Ａ、１１Ｂ〜１３Ｂを有し、それら下階部分の上に、各建物ユニット１１Ａ〜１３Ａ、１１Ｂ〜１３Ｂに搭載された壁式建物ユニット２１Ａ〜２３Ａ、２１Ｂ〜２３Ｂを有する。ユニット建物１０は、下階部分と上階部分に、他の建物ユニットを併せ備えるものでも良い。
【００１９】
ユニット建物１０の下階部分において、建物ユニット１１Ａ、１３Ａ、１１Ｂ、１３Ｂは相交差する１組の長辺と短辺に壁（耐力壁）３１を有し、他の１組の長辺と短辺には壁を有さない。建物ユニット１２Ａ、１２Ｂは、１個の短辺にだけ壁３１を有する。
【００２０】
ユニット建物１０は、下階部分で、１列目の３個の建物ユニット１１Ａ〜１３Ａが、それらの互いに相接する長辺を壁のない開口部４１にし、２列目の３個の建物ユニット１１Ｂ〜１３Ｂが、それらの互いに相接する長辺を壁のない開口部４２とするように、建物ユニット１１Ａ〜１３Ａ、建物ユニット１１Ｂ〜１３Ｂを配置する。
【００２１】
ユニット建物１０は、下階部分で、図１、図２に示す如く、１行目の２列をなす各建物ユニット１１Ａ、１１Ｂがそれらの互いに相接する短辺を壁のない開口部５１にする。また、２行目の２列をなす各建物ユニット１２Ａ、１２Ｂがそれらの互いに相接する短辺を壁のない開口部５２にするとともに、該短辺の３行目の建物ユニット１３Ａ、１３Ｂと接する位置に支持柱（構造柱）６１を立設する。開口部５１と開口部５２は相連続して広い開口５０を形成する。また、３行目の２列をなす各建物ユニット１３Ａ、１３Ｂがそれらの互いに相接する短辺の、２行目の建物ユニット１２Ａ、１２Ｂと接する側の一部を壁のない小開口部５３にするとともに、該短辺の残部に小壁（耐力壁）６２を設ける。
【００２２】
ユニット建物１０は、下階部分で、１行目の各建物ユニット１１Ａ、１１Ｂの前記開口部５１を有する短辺に対し、２行目の建物ユニット１２Ａ、１２Ｂと接しない側で、該１行目の各建物ユニット１１Ａ、１１Ｂの長辺に立てた壁３１と、２行目の各建物ユニット１２Ａ、１２Ｂの前記支持柱６１とに長尺の梁７１を架け渡す。また、２行目の各建物ユニット１２Ａ、１２Ｂの支持柱６１と、３行目の各建物ユニット１３Ａ、１３Ｂの小壁６２とに梁７２を架け渡し、それらの梁７１、７２によって上階の建物ユニット２１Ａ〜２３Ａ、２１Ｂ〜２３Ｂを支持する。梁７１と梁７２は連続梁にして１本化しても良い。
【００２３】
支持柱６１と梁７１、７２は、図３に示す如く、２列をなす建物ユニット１１Ａ〜１３Ａと、建物ユニット１１Ｂ〜１３Ｂのそれぞれ毎に、工場付け等により設けることができる。図３において、１０Ａは基礎、３０は床、３１は壁であり、床３０は下枠３０Ａ、根太３０Ｂ、床面材３０Ｃを有し、壁３１は下枠（不図示）、縦枠（不図示）、上枠（不図示）を有し、壁３１の上部に天井面材３１Ａを有している。そして、各列の支持柱６１の下端部は柱脚金物３２により対応する床３０の根太に連結され、各列の梁７１、７２は同列の支持柱６１の上端部に柱頭金物３３により連結されている。
【００２４】
支持柱６１と梁７１、７２は、図４に示す如く、２列をなす建物ユニット１１Ａ〜１３Ａと、建物ユニット１１Ｂ〜１３Ｂに跨るように現地施工にて設けることもできる。広幅の支持柱６１の下端部が柱脚金物３４により２列をなす床３０、３０の根太に連結され、広幅の梁７１、７２が広幅の支持柱６１の上端部に柱頭金物３５により連結される。
【００２５】
ユニット建物１０は、下階部分で、１列目の建物ユニット１１Ａ〜１３Ａを開口部４１によって連続するとともに、２列目の建物ユニット１１Ｂ〜１３Ｂを開口部４２によって連続する。また、１行目の２列をなす建物ユニット１１Ａ、１１Ｂ、２行目の２列をなす建物ユニット１２Ａ、１２Ｂを開口５０（開口部５１、５２）によって連続する。また、３行目の２列をなす建物ユニット１３Ａ、１３Ｂを小開口部５３によって連続する。
【００２６】
これにより、ユニット建物１０は図５に示す如くのレイアウトを採用できる。下階部分においては、１行目と２行目の建物ユニット１１Ａ、１１Ｂ、１２Ａ、１２Ｂに連続する広いリビング・ダイニングを形成し、３行目では建物ユニット１３Ａ、１３Ｂをつなぐ通路を形成できる。
【００２７】
本実施形態によれば以下の作用がある。
▲１▼１列目の３個の建物ユニット１１Ａ〜１３Ａが、それらの互いに相接する側辺部を壁のない開口部４１にし、２列目の３個の建物ユニット１１Ｂ〜１３Ｂが、それらの互いに相接する側辺部を壁のない開口部４２にすることにより、１列目と２列目のそれぞれにおいて、各３個の建物ユニット１１Ａ〜１３Ａ、１１Ｂ〜１３Ｂに渡って連続する大空間を形成できる。
【００２８】
▲２▼１行目と２行目の建物ユニット１１Ａ、１１Ｂ、１２Ｂ、１２Ｂの壁のない開口部５１、５２の上に梁７１を架け渡すに際し、１行目の建物ユニット１１Ａ、１１Ｂは梁７１の下部を全て開口部５１とし、２行目の建物ユニット１２Ａ、１２Ｂは梁７１の下部を１行目の建物ユニット１１Ａ、１１Ｂの側の開口部５１に連続する開口部５２と３行目の建物ユニット１３Ａ、１３Ｂに接する支持柱６１とした。従って、１行目と２行目の両建物ユニット１１Ａ、１１Ｂ、１２Ａ、１２Ｂに連続する広い開口５０を形成できる。
【００２９】
上述▲１▼と相まって、１列目の２行分の建物ユニット１１Ａ、１２Ａと、２列目の２行分の建物ユニット１１Ｂ、１２Ｂに渡って連続する大空間（リビング・ダイニング）を形成できる。
【００３０】
▲３▼１行目〜３行目の建物ユニット１１Ａ〜１３Ａ、１１Ｂ〜１３Ｂの上述▲２▼の開口５０を含む面に沿う水平荷重に対する耐力は、３行目の建物ユニット１３Ａ〜１３Ｂに設けた小壁（耐力壁）６２によって確保される。
【００３１】
▲４▼１行目と２行目の建物ユニット１１Ａ、１２Ａ、１１Ｂ、１２Ｂに対する上階の建物ユニット２１Ａ、２２Ａ、２１Ｂ、２２Ｂの垂直荷重は、１行目の建物ユニット１１Ａ、１１Ｂの壁３１と、梁７１だけでなく、２行目の建物ユニット１２Ａ、１２Ｂの支持柱６１によっても支えられるから、梁７１に大断面を必要とせず、梁７１の材料の簡易を図ることができる。
【００３２】
▲５▼３行目の建物ユニット１３Ａ、１３Ｂが小壁６２の側傍に小開口部５３を有しており、この小開口部５３を室内通路として利用する等により、有効なプランをとることができる。
【００３３】
▲６▼支持柱６１と梁７１、７２を２列をなす各建物ユニット１１Ａ〜１３Ａ、１１Ｂ〜１３Ｂ毎に設けることにより（図３）、それらの部材の断面を小型軽量化できるし、それらの工場付けが可能になる。
【００３４】
▲７▼支持柱６１と梁７１、７２を２列をなす両建物ユニット１１Ａ〜１３Ａ、１１Ｂ〜１３Ｂに跨るように設けることにより（図４）、それらの部材の部品点数を少なくし、組付工数を削減できる。
【００３５】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、上記の実施例において支持柱６１の位置は、２行目の建物ユニットの相接する短辺の３行目の建物ユニットと接する位置に完全に一致させたが、支持柱が一部３行目の建物ユニットにかかっても良く、又は逆に、耐力壁の最低巾寸法（通常９００ミリ程度）より小さい範囲で２行目の建物ユニット内側に位置しても良い。
【００３６】
【発明の効果】
本発明によれば、複数の建物ユニットによって壁のない大空間を形成するとともに、複数の建物ユニットに連続する広い開口を形成しながら、上階の建物ユニットを支持できる。
【図面の簡単な説明】
【図１】図１はユニット建物を示し、（Ａ）は下階部分を示す平面図、（Ｂ）は上階部分を示す平面図である。
【図２】図２は図１（Ａ）のＩＩ−ＩＩ線に沿う模式側面図である。
【図３】図３は図１（Ａ）のＩＩＩ−ＩＩＩ線に沿う矢視図である。
【図４】図４は図３と同一部分の変形例を示す正面図である。
【図５】図５はユニット建物のレイアウトを示し、（Ａ）は下階部分を示す平面図、（Ｂ）は上階部分を示す平面図である。
【符号の説明】
１０  ユニット建物
１１Ａ〜１３Ａ、１１Ｂ〜１３Ｂ  建物ユニット
３１  壁
４１、４２、５１、５２  開口部
５０  開口
５３  小開口部
６１  支持柱
６２  小壁
７１、７２  梁
【図１】
2004156400.tif 000003
【図２】
2004156400.tif 000004
【図３】
2004156400.tif 000005
【図４】
2004156400.tif 000006
【図５】
2004156400.tif 000007